(57)【要約】【課題】白色ＬＥＤを使用することなく夜間などドアの外側が暗い場合にも鮮明なカラー映像を撮影することができるテレビドアホンを提供することを課題とする。【解決手段】訪問者が呼出ボタンスイッチ１２を押すと、親機の呼び鈴が鳴動して親機と子機との間で通話可能になると同時に、明るさセンサ３により子機周辺の明るさが検出され、その明るさが所定の明るさ以上である場合には青色ＬＥＤ５及び黄色ＬＥＤ６が点灯されない一方、その明るさが所定の明るさに満たない場合には青色ＬＥＤ５及び黄色ＬＥＤ６が点灯される。ここで、青色ＬＥＤ５及び黄色ＬＥＤ６から発せられた青色光及び黄色光は拡散板７を通ることにより拡散すると共に互いに混ざり合い、訪問者等の被写体を照明する。そして、カメラ２により訪問者等の被写体が撮影されてそのカラー映像が親機の表示装置に表示される。【選択図】　　　　図１
2004128626.tif 000002
【特許請求の範囲】
【請求項１】
カラー映像を撮影するカメラを備える子機とこのカメラからの信号を受けてカラー映像を表示装置に表示する親機とからなるテレビドアホンにおいて、
子機は、カメラの照明として互いに異なる色の光を発する複数のＬＥＤを備えることを特徴とするテレビドアホン。
【請求項２】
前記複数のＬＥＤは、一部または全てがそれぞれ特定の情報を表示する表示灯として兼用されることを特徴とする請求項１に記載のテレビドアホン。
【請求項３】
前記複数のＬＥＤは、青色ＬＥＤと黄色ＬＥＤまたは黄赤色ＬＥＤの組み合わせ、或いは青色ＬＥＤと緑色ＬＥＤと赤色ＬＥＤの組み合わせからなることを特徴とする請求項１または２に記載のテレビドアホン。
【請求項４】
前記特定の情報を表示する表示灯は、通電表示灯、動作中表示灯、故障表示灯及び警報表示灯のいずれかまたはこれらの任意の組み合わせであることを特徴とする請求項１〜３のいずれか一項に記載のテレビドアホン。
【請求項５】
前記複数のＬＥＤの前に、拡散板が取り付けられていることを特徴とする請求項１〜４のいずれか一項に記載のテレビドアホン。
【請求項６】
前記複数のＬＥＤは、カメラの近傍に配置されていることを特徴とする請求項１〜５のいずれか一項に記載のテレビドアホン。
【請求項７】
子機は明るさセンサを更に備え、子機はこのセンサにより検出された明るさに応じて前記複数のＬＥＤを点灯制御することを特徴とする請求項１〜６のいずれか一項に記載のテレビドアホン。
【発明の詳細な説明】
【０００１】
【発明の属する技術分野】
この発明は、テレビドアホンに係り、特にカラー映像を撮影するカメラを備える子機とこのカメラからの信号を受けてカラー映像を表示装置に表示する親機とからなるテレビドアホンに関する。
【０００２】
【従来の技術】
従来より、呼び出しや通話の機能に加えて、ドアの外側に配置された子機のカメラで撮影したカラー映像を屋内に取り付けられた親機のモニタに表示する機能を持ったテレビドアホンが使用されている。このようなテレビドアホンでは、子機にカメラの照明として白色ＬＥＤ（発光ダイオード）が取り付けられており、この白色ＬＥＤを点灯させて訪問者等の被写体を照射することにより夜間など子機周辺が暗い場合にも鮮明なカラー映像を撮影することができるようになっている（例えば、特許文献１及び２参照）。
【０００３】
【特許文献１】
特開平１０−２４３３８１号公報
【特許文献２】
特開平１０−３３６６３７号公報
【０００４】
【発明が解決しようとする課題】
しかしながら、上述のようなテレビドアホンにカメラの照明として使用されている白色ＬＥＤは高価であり、その分テレビドアホン全体の製造コストが高くなってしまっていた。
この発明はこのような問題点を解消するためになされたもので、白色ＬＥＤを使用することなく夜間などドアの外側が暗い場合にも鮮明なカラー映像を撮影することができるテレビドアホンを提供することを目的とする。
【０００５】
【課題を解決するための手段】
この発明に係るテレビドアホンは、カラー映像を撮影するカメラを備える子機とこのカメラからの信号を受けてカラー映像を表示装置に表示する親機とからなるテレビドアホンにおいて、子機はカメラの照明として互いに異なる色の光を発する複数のＬＥＤを備えるものである。
複数のＬＥＤは、一部または全てがそれぞれ特定の情報を表示する表示灯として兼用されることが好ましく、その場合、特定の情報を表示する表示灯は通電表示灯、動作中表示灯、故障表示灯及び警報表示灯のいずれかまたはこれらの任意の組み合わせにすることができる。
また、複数のＬＥＤは、青色ＬＥＤと黄色ＬＥＤまたは黄赤色ＬＥＤの組み合わせ、或いは青色ＬＥＤと緑色ＬＥＤと赤色ＬＥＤの組み合わせから構成することが好ましく、複数のＬＥＤの前に拡散板が取り付けられていることが好ましく、また、複数のＬＥＤがカメラの近傍に配置されていることが好ましい。
また、子機は明るさセンサを更に備え、子機がこのセンサにより検出された明るさに応じて複数のＬＥＤを点灯制御することがさらに好ましい。
【０００６】
【発明の実施の形態】
以下、この発明の実施の形態を添付図面に基づいて説明する。
実施の形態に係るテレビドアホンは、屋内に配置される親機とドアの外側に配置される子機とを有している。図１は、このテレビドアホンの子機を示す正面図である。子機は箱型の本体１を有しており、この本体１は開閉自在な前面板１ａを有している。
【０００７】
本体１の前面板１ａの上部には、撮影部Ａと照明部Ｂとが互いに隣接して形成されている。撮影部Ａに訪問者等の被写体をカラー撮影するカメラ２が取り付けられており、このカメラ２の近傍にＣＤＳ素子等からなる明るさセンサ３が配置されている。また、撮影部Ａの前面、すなわちカメラ２及び明るさセンサ３の前にはこれらカメラ２及び明るさセンサ３を保護するための透明なガラス板４が配置されている。
一方、照明部Ｂにはカメラ２の照明として青色ＬＥＤ５と黄色ＬＥＤ６とが隣接して設けられており、この照明部Ｂの前面、すなわち２色のＬＥＤ５及び６の前にスリガラス等からなる拡散板７が配置されている。
【０００８】
また、破線で示されるように、本体１の内部にスピーカ８及びマイク９が配置され、本体１の前面板１ａはこれらスピーカ８及びマイク９に対応する部分にそれぞれスピーカ孔１０とマイク孔１１とが形成されている。このスピーカ孔１０は、本体１の前面板１ａに形成された複数の溝の立壁部分を切り欠いた形状になっており、スピーカ８の大きさに対応する範囲につき形成されている。また、スピーカ孔１０の下部には外観円形状の呼出ボタンスイッチ１２が取り付けられている。そして、スピーカ孔１０が形成される複数の溝は、呼出ボタンスイッチ１２を中心に円弧状に形成され、意匠的に優れると共に、万一水滴が付着しても、この水滴がスピーカ孔１０に進入せずに両端側に流下する形状になっている。なお、マイク孔１１では、図示しないが、溝に対して僅かな段差を設けることで水滴の進入を防止している。
カメラ２、スピーカ８、マイク９及び呼出ボタンスイッチ１２はそれぞれ図示しない親機に電気的に接続されている。
【０００９】
さらに、呼出ボタンスイッチ１２の近傍には、緑色ＬＥＤからなる通電表示灯１３と赤色ＬＥＤからなる警報表示灯１４とが互いに隣接して配置されており、通電表示灯１３は点灯により子機の通電状態を表示し、警報表示灯１４は火災の検出時等に点滅するようになっている。なお、破線で示されるように、本体１内部には警報表示灯１４の外部試験を行うための接続端子１５が本体１の前面板１ａに設けられた呼出ボタンスイッチ１２の背部に配置されており、この呼出ボタンスイッチ１２を手前に開いて接続端子１５に図示されない外部試験器を接続することにより外部試験を行うことができるようになっている。
【００１０】
次に、この実施の形態に係るテレビドアホンの作用について説明する。訪問者が呼出ボタンスイッチ１２を押すと、親機の呼び鈴が鳴動して親機と子機との間で通話可能になる。それと同時に、明るさセンサ３により子機周辺の明るさが検出され、この明るさに基づいてカメラ２の照明である青色ＬＥＤ５及び黄色ＬＥＤ６が点灯制御される。すなわち、明るさセンサ３により検出された子機周辺の明るさが所定の明るさ以上である場合には、青色ＬＥＤ５及び黄色ＬＥＤ６は点灯されず、一方、明るさセンサ３により検出された子機周辺の明るさが所定の明るさに満たない場合には、青色ＬＥＤ５及び黄色ＬＥＤ６が点灯される。ここで、青色ＬＥＤ５及び黄色ＬＥＤ６から発せられた青色光及び黄色光は、拡散板７を通ることにより拡散すると共に互いに混ざり合い、訪問者等の被写体を照明する。そして、カメラ２により訪問者等の被写体が撮影され、そのカラー映像が親機へ伝送されて親機の表示装置に表示される。
なお、子機周辺の明るさが所定の明るさに満たない場合、その明るさに応じて青色ＬＥＤ５及び黄色ＬＥＤ６に流す電流を変えて点灯してもよく、明るさを段階的に判断して電流をその段階に応じて供給すればよい。
【００１１】
このように青色ＬＥＤ５及び黄色ＬＥＤ６をカメラ２の照明として備える構成にしただけで、青色ＬＥＤ５から発する青色光と黄色ＬＥＤ６から発する黄色光とが混色となって被写体を照明することができるので、夜間などドアの外側が暗い場合にも鮮明なカラー映像を撮影することができる。
【００１２】
青色ＬＥＤ５及び黄色ＬＥＤ６の前に配置された拡散板７により光が拡散されるため、青色ＬＥＤ５及び黄色ＬＥＤ６がそれぞれ発する光が混合しやすくなる。また、この拡散板７によりそれぞれのＬＥＤの正面のみに強い光が照射されることが防止され、その結果、カメラ２の撮影範囲に均等に光を照射することが可能となると共に訪問者が強い光に顔を背けてカメラ２で捉えられなくなってしまうといった事態が回避される。
また一般に、青色ＬＥＤ及び黄色ＬＥＤはそれぞれその単価が安く、青色ＬＥＤ及び黄色ＬＥＤの値段を足し合わせても白色ＬＥＤの単価よりも安くなるため、本発明のテレビドアホンは、従来のように白色ＬＥＤを照明として利用するテレビドアホンに比べて安く製造することができる。
【００１３】
また、撮影部Ａと照明部Ｂとが隣接して設けられることによりカメラ２とこのカメラ２の照明である青色ＬＥＤ５及び黄色ＬＥＤ６とが近傍に配置されているため、これら青色ＬＥＤ５及び黄色ＬＥＤ６がそれぞれ発する光を十分に生かして照明を行うことができる。
さらに、青色ＬＥＤ５及び黄色ＬＥＤ６が明るさセンサ３により検出された子機周辺の明るさに基づいて点灯制御されるため、これら２色のＬＥＤ５及び６が昼間など子機周辺が明るい場合に点灯されて電源を無駄に消費することが防止される。
【００１４】
なお、上述の実施の形態では、カメラ２の照明として青色ＬＥＤ５と黄色ＬＥＤ６とを組み合わせて用いたが、その代わりに、青色ＬＥＤと黄赤色ＬＥＤとの組み合わせ、或いは青色ＬＥＤと緑色ＬＥＤと赤色ＬＥＤとの組み合わせ等で用いることができる。この場合、互いに補色である複数の色の光を組み合わせてより白色に近い光またはカメラ２の撮像特性により適した色の光で照明することが好ましい。
【００１５】
また、照明用の専用のＬＥＤ５及び６を用いる代わりに、通電表示灯１３や警報表示灯１４を撮影時の照明用として兼用させることもできる。その場合、これら通電表示灯や警報表示灯だけの役割を有するＬＥＤを別個に設ける必要がなくなるため、テレビドアホンをより安く製造することができる。
さらに、複数の異なる色のＬＥＤを通電表示灯や警報表示灯だけでなく、動作中表示灯、故障表示灯、外部防犯表示灯など特定の情報を表示する表示灯として使用することができる。その場合、通電表示灯には緑色ＬＥＤを使用し、警報表示灯には赤色ＬＥＤを使用するなど、用途に合った色のＬＥＤを選択して使用することが好ましい。
【００１６】
【発明の効果】
以上説明したように、この発明によれば、子機はカメラの照明として互いに異なる色の光を発する複数のＬＥＤを備えるので、白色ＬＥＤを使用することなく夜間などドアの外側が暗い場合にも鮮明なカラー映像を撮影することができる。
【図面の簡単な説明】
【図１】この発明の実施の形態に係るテレビドアホンの子機を示す正面図である。
【符号の説明】
１　本体、１ａ　前面板、２　カメラ、３　明るさセンサ、４　ガラス板、５青色ＬＥＤ、６　黄色ＬＥＤ、７　拡散板、８　スピーカ、９　マイク、１０スピーカ孔、１１　マイク孔、１２　呼出ボタンスイッチ、１３　通電表示灯、１４　警報表示灯、１５　接続端子、Ａ　撮影部、Ｂ　照明部。
【図１】
2004128626.tif 000003